(57)【特許請求の範囲】
【請求項１】
気体，液体，粉体等の処理対象物に含まれる磁性体異物を除去するための除去装置であって、該除去装置は、前記処理対象物の導入口及びこれに連設する磁性体異物除去室及びこれに連設する排出口を備えるものからなり、前記磁性体異物除去室には該除去室に着脱自在に装着される磁性体異物除去モジュールと該磁性体異物除去モジュールを垂下支持する支持部とが設けられ、前記磁性体異物除去モジュールは枠体状のフレームとこのフレームに装着されるバーマグネットを有するものからなり、前記フレームは、その両側面の上方に突出する支持腕が形成され、該支持腕の突出端には側面上部が屈曲形成され、前記支持部は前記磁性体異物除去室の内壁面に対して固着する別体の凸状のブロック体から形成され、この前記ブロック体の上面には前記側面上部が当接する接触面が形成され、前記側面上部と前記接触面とは密接して接触するものからなり、前記接触面は前記磁性体異物除去モジュールの重心位置よりも高所（上部）に形成されることを特徴とする磁性体異物除去装置。
【発明の詳細な説明】
【技術分野】
【０００１】
本発明は、気体，液体，粉体等の処理対象物に含まれる磁性異物を分離・除去するために用いられる磁性体異物除去装置に関する。
【背景技術】
【０００２】
飲料や様々な食品，薬品類，香辛料，調味料，各種のプラスチック原料，顔料，肥料など様々な気体，液体，粉体及び粒体等には、その加工工程や製造工程にてさまざまな金属類などの異物が混入する可能性がある。例えば、製造や加工の工程においてスクリューフィーダー，ロータリーバルブ，輸送パイプなど設備の金属磨耗粉や、ミキサー，スライサー，カッター，シュレッダー，チョッパーなどの破損片が考えられる。近年では、半導体製造工場等のハイテクノロジーに関連する分野においても、各種設備から発生する超微細な磨耗粉や、破損片を除去する要求が大きくなってきた。
【０００３】
様々な設備の多くは金属部品から作られているため、前記のような各種設備を用いた処理により金属異物が混入することを完全に避けることは困難である。一般に、多くの設備は、鉄もしくはステンレスにより構成されていることが多いため、混入する可能性の大きい金属異物は磁性金属異物であることが多い。
【０００４】
従来から用いられている金属異物類除去装置は、一般的に、気体，液体，粉体及び粒体等を通過させるための上部開口部及び下部開口部を有する磁性体異物除去室内部に磁石モジュールを装着した構造になっている。これを用いて各種粉体等に含まれる磁性異物を除去するには、上部開口部を介して磁性体異物除去室内に各種の気体，液体，粉体もしくは粒体等を取り入れるとともに、磁性体異物除去室を通過させた後、下部開口部より取り出す。該磁性体異物除去室内を各種の気体，液体，粉体及び粒体等が通過する過程において、磁性体異物除去室内部に設置された磁石モジュールにより磁性異物が吸着され、前記各種粉体等に混入した磁性異物を除去することができる。
【０００５】
磁性異物を除去するために、複数のマグネット単体を組み合わせたバーマグネットを気体，液体，粉体及び粒体等の流れの中に配置して、磁性を持つ異物類を磁気的に吸着させて除去するものが知られている。
【０００６】
バーマグネットに磁気的に吸着した磁性異物は、異物除去機能を維持するために定期的に除去・掃除する必要がある。従来では、定期的もしくは磁性異物が吸着した時点でウェス等によって拭き取って掃除したり、粘着テープにより除去したり、圧縮空気により除去した。また、除去・掃除を自動化するする機構に関する出願もなされている。
【特許文献１】特開２００２−１１３３８６号公報（第２−４項，第１−９図）
【発明の開示】
【発明が解決しようとする課題】
【０００７】
単数もしくは複数のバーマグネットを組み合わせた磁性体異物除去モジュールを磁性体異物除去室の内部に設置して磁性異物を吸着除去する装置等において、吸着した磁性異物を除去掃除する工程を容易かつ確実に清掃するために磁性体異物除去モジュールを磁性体異物除去室から分離可能な構造にする必要がある。
【０００８】
磁性体異物除去装置では、永久磁石が気体，液体，粉体及び粒体等の流れる経路面に形成された挿脱孔に挿入されて、既述の粉体等の輸送路を形成する内面部分に取り付けられる磁性体異物除去モジュールがユニット化されているため、容易に掃除等の処理が可能となる。しかし、既述の粉体等輸送路内面と磁性体異物除去モジュールの間に形成されるわずかな隙間に既述の粉体等の一部が堆積することが起こる。このような状態が発生すると、清掃のために磁性体異物除去モジュールを取り出す操作において、モジュールの容易な取り出しが困難になることが想定される。
【０００９】
気体，液体，粉体及び粒体等の輸送路内面と磁性体異物除去モジュールの隙間に前記粉体等の一部が挟まり取り出し困難になった状態で磁性体異物除去モジュールを取り出す場合には、該磁性体異物除去モジュールと流体輸送路内面との間に大きな力がかかることが考えられる。このような場合では、流体輸送路と磁性体異物除去モジュールを構成するステンレス等の金属部分において、擦れや削れなどにより混入異物の発生が起こる危険性が考えられる。
【００１０】
気体，液体，粉体及び粒体等の輸送路内面と磁性体異物除去モジュールの間の隙間を無くすには、前記粉体等輸送路内面と磁性体異物除去モジュールを極めて高い寸法精度で製造し、隙間を埋めることが考えられるが、このような装置は極めて高価になることが想定される。また、前記粉体等輸送路と磁性体異物除去モジュールの運用において、温度が変化するなどの状態の変動等による寸法の変化等により、実質的に装置を製造することが困難になることが考えられる。しかしながら、前記粉体等輸送路内面と磁性体異物除去モジュールを極めて高い寸法精度で製造し隙間を埋めることは、実用的技術として利用することはほとんど不可能であると思われる。
【００１１】
図６は従来の磁性体異物除去装置の一例を示すものである。この磁性体異物除去装置１００はバーマグネット１２１を有する磁性体異物除去モジュール１２０を磁性体異物除去室１１０内に設けたものであり、磁性体異物除去室１１０の内面に固定された支持部材４６上に磁性体異物除去モジュール１２０を搭載したものである。この従来技術により磁性体異物を除去することは可能であるが、この装置では内壁面１４０と磁性体異物除去モジール１２０との間の隙間１０１に処理対象物が入り込み、磁性体異物除去モジュール１２０を取り出すことができない問題点があった。
【００１２】
本発明は、以上の事情に鑑みて発明されたものであり、気体，液体，粉体等の隙間への入り込みを防止し、磁性体異物の除去効率を向上させると共に磁性物異物除去モジュールの着脱を容易としメンテナンスの容易化を図る磁性体異物除去装置を提供することを目的とする。
【課題を解決するための手段】
【００１３】
本発明は、以上の目的を達成するために、請求項１の発明は、気体，液体，粉体等の処理対象物に含まれる磁性体異物を除去するための除去装置であって、該除去装置は、前記処理対象物の導入口及びこれに連設する磁性体異物除去室及びこれに連設する排出口を備えるものからなり、前記磁性体異物除去室には該除去室に着脱自在に装着される磁性体異物除去モジュールと該磁性体異物除去モジュールを垂下支持する支持部とが設けられ、前記磁性体異物除去モジュールは枠体状のフレームとこのフレームに装着されるバーマグネットを有するものからなり、前記フレームは、その両側面の上方に突出する支持腕が形成され、該支持腕の突出端には側面上部が屈曲形成され、前記支持部は前記磁性体異物除去室の内壁面に対して固着する別体の凸状のブロック体から形成され、この前記ブロック体の上面には前記側面上部が当接する接触面が形成され、前記側面上部と前記接触面とは密接して接触するものからなり、前記接触面は前記磁性体異物除去モジュールの重心位置よりも高所（上部）に形成されることを特徴とする。
【発明の効果】
【００１４】
本発明によれば、気体，液体，粉体及び粒体等の中から磁性体異物を除去するための磁性体異物除去モジュールが支持部で支持されて垂下状態で装着される。そのため、磁性混入異物除去室の内壁と磁性混入異物除去モジュールの側面との間に磁性混入異物除去室に移送された気体，液体，粉体及び粒体等が堆積するような隙間が形成されること無く、磁性体異物除去モジュールの取り外し作業を容易に行うことができる。これにより、磁性体異物除去装置のメンテナンスを容易に行うことが可能となる。
【００１５】
また、前記磁性体異物除去モジュールの支持位置が，磁性体異物除去モジュールの重心よりも上部であるため、前記粉体等の流れ方向に垂直に交わる面に概ね平行に形成されたバーマグネットユニットが極めて安定に保持されることが可能となる。
【００１６】
本発明により構成された前記磁性体異物除去装置は、磁性体異物除去室内部に形成された支持部の形成方法や材質などにより制限されるものではなく、磁性体異物除去モジュールが支持部に対して懸垂する状態で支持され磁性体異物除去モジュールの重心よりも上部で支持されていることを特徴とするものであり、磁性体異物除去モジュールの加工方法，製造工程，材質等や磁性体異物除去室内部の加工方法，製造工程，材質等により制限されるものではない。
【発明を実施するための最良の形態】
【００１７】
以下、添付の図面を参照して、この発明の最良の実施の形態を詳細に説明する。図１は本発明の一実施形態に係わる磁性体異物除去装置の一部を示す正面図である。
磁性体異物除去装置１は、磁性異物を含む気体，液体，粉体及び粒体等の処理対象物が導入される導入口１１と、この導入口１１から導入された前記粉体等から磁性異物を除去する磁性体異物除去室１０と、この磁性体異物除去室１０を通過した前記粉体等を排出する排出口１２とを備え、磁性体異物除去装置１を支える台座３１から構成される。なお、磁性体異物除去室１０には、蝶番１８を介して開閉自在に取り付けられた扉部１７が備えられており、この扉部１７をあけることにより磁性体異物除去室１０の内部空間にアクセスできる構造を有している。この扉部１７には、操作ハンドル１６が備えられており、扉部１７の全閉時にはこの操作ハンドル１６を図１の矢印Ａ方向に動かしてとめ具１５にて扉をロック状態にすることにより、磁性体異物除去室１０と扉部１７を密着させて磁性体異物除去室１０の内部空間を扉部１７側から密閉することができる。
【００１８】
図２は、この磁性体異物除去装置１の側面を示す側面図である。磁性体異物除去装置１は磁性体異物除去室１０より構成され、磁性体異物除去モジュール２０，２２を内部に備えている。これら磁性体異物除去モジュール２０，２２は、例えば磁性体異物除去室１０の内部に脱着自在に多段式にとりつけられ、異物除去のためにバーマグネット２１，２３を備えている。なお、磁性体異物除去室１０には、蝶番１８を介して開閉自在に取り付けられた扉部１７が備えられており、この扉部１７をあけることにより磁性体異物除去室１０の内部空間にアクセスして磁性体異物除去モジュール２０，２２を取り付け／取り外すことができる構造となっている。この磁性体異物除去装置１は、例えば磁性体異物除去室１０の外壁１３に溶接などにより接合された台座部３１に支持固定されている。
【００１９】
次に、図３，図４，図５により本発明の磁性体異物除去装置の構造を説明する。
【００２０】
まず、図５により本発明の磁性体異物装置１の磁性体異物除去室１０内に着脱可能に収納されている磁性体異物除去モジュール２０の構造を説明する。
磁性体異物除去モジュール２０は箱状の枠体からなり、正面板４７ａと側面板４７ｂとからなるフレーム４７とフレーム４７の正面板４７ａに端部を連結固定して併設されるバーマグネット２１等とからなる。なお、側面板４７ｂは上方に向かって突出する支持腕４４を形成するものからなり、この支持腕４４の突出端には側面上部４３が形成される。この側面上部４３は側面上部４３の突出端を折り曲げて屈曲形成したものからなる。
【実施例１】
【００２１】
図３は図５に示した磁性体異物除去モジュール２０を設けた磁性体異物除去装置１の全体構造を示すものであり、磁性体異物除去室１０には例えば２セットの磁性体異物除去モジュール２０，２２が設けられている。この磁性体異物除去モジュール２０，２２は磁性体異物除去室の内面の内壁面４０に固定されているブロック状の支持部４１に側面上部４３を当接して垂下支持された状態で収納されている。図４はその状態を拡大表示するものであり、側面上部４３はその下面を支持部４１の接触面４５に密接した状態で係着し、磁性体異物除去モジュール２０，２２を垂下支持する状態で収納されている。
【００２２】
実施例１等に示すように、側面上部４３が支持部４１に密接して当接することにより、処理対象物が滞留することが発生せず、磁性体の除去が効率的に行われ、磁性体異物除去モジュール２０，２２の着脱が容易に行われる。
【００２３】
実施例１等に示すように磁性体異物除去モジュール２０，２２はバーマグネット２１が配置されている部位よりも上方にある支持部４１に垂下支持されるものからなり、磁性体異物除去モジュール２０，２２の重心位置よりも接触面４５が上方にあることが明示されている。即ち、接触面４５が磁性体異物除去モジュール２０，２２の重心より上方にあることにより処理対象物の流れに対してこの接触面４５の位置が邪魔にならず結果として処理対象物が安定した円滑状態で流れることができる。これにより磁性体異物の除去が効率的に行われることになる。
【産業上の利用の可能性】
【００２４】
以上述べたように、この発明によれば、気体，液体，粉体及び粒体等の中から磁性体異物除去モジュールが取り付けられる磁性体異物除去室の内壁と、前記磁性体異物除去モジュールの側部との間に隙間が形成されること無く保持することが可能となる。
このため、磁性体異物除去室の内壁面と磁性体異物除去モジュールの側部との間の隙間に、移送される前記粉体等が入り込むことが無く、磁性体異物除去モジュールの脱着作業を容易に実施することができる。
【００２５】
本発明により構成した磁性体異物除去装置では、組み込まれた磁性体異物除去モジュールを常に容易に脱着することが可能となり、磁性体異物除去装置のメンテナンス性を著しく向上させるものであり、産業上における大きな利用価値を有するものである。
【図面の簡単な説明】
【００２６】
【図１】本発明の一実施形態に係わる磁性体異物除去装置の一部を示す正面図である。
【図２】本発明の一実施形態に係わる磁性体異物除去装置の一部の側面を示す側面図である。
【図３】第２図のＢ−Ｂ′断面図であり、磁性体異物除去室及び磁性体異物除去室内部に設置された磁性体異物除去モジュール及びバーマグネットの様子を示す説明図である。
【図４】磁性体異物除去モジュールの懸架の様子を詳細に説明するための説明図である。
【図５】本磁性体異物除去装置の磁性体異物除去モジュールの一例の構造を示すための斜視図である。
【図６】従来の磁性体異物除去装置の一例の構成を示す説明図である。
【符号の説明】
【００２７】
１      磁性体異物除去装置
１０    磁性体異物除去室
１１    導入口
１２    排出口
１３    外壁
１５    とめ具
１６    操作ハンドル
１７    扉部
１８    蝶番
２０    磁性体異物除去モジュール
２１    バーマグネット
２２    磁性体異物除去モジュール
２３    バーマグネット
３１    台座部
４０    内壁部
４１    支持部
４３    側面上部
４４    支持腕
４５    接触面
４６    支持部材
４７    フレーム
４７ａ  正面板
４７ｂ  側面板
１００  磁性体異物除去装置
１０１  隙間
１１０  磁性体異物除去室
１２０  磁性体異物除去モジュール
１２１  バーマグネット
１４０  内壁面
【図１】
0004953042.tif 000002
【図２】
0004953042.tif 000003
【図３】
0004953042.tif 000004
【図４】
0004953042.tif 000005
【図５】
0004953042.tif 000006
【図６】
0004953042.tif 000007